(57)【要約】【課題】流量検出手段が必要であったり、洗濯物を十分水に浸すための循環手段が必要であったり、給水時の水栓の開度が少ない場合にも洗濯物の吸水性が良いと判定してしまうという課題があった。【解決手段】給水手段１０２と、水位検知手段１０８と、水位時間的推移記憶手段１０９の記憶内容から衣類吸水性を元に念入り運転の必要度を判定する念入り運転必要度判定手段１１０を備え、念入り運転必要度判定手段１１０は、水位変化の傾きの符号が同じ場合に、水位変化の傾き折れ点を検知し、折れ点前の傾きに対する折れ点後の傾きの割合で念入り運転の必要度を判定するようにしたものである。  これによって、簡単な構成で、しかも給水時の水の流量を考慮して、洗濯物の吸水性の判定を元に念入り運転の必要度が高いかどうかを判定して洗濯物の布質や量に適した洗濯や乾燥を行うことができる。【選択図】図１
2011206143.tif 000002
【特許請求の範囲】
【請求項１】
給水手段と、洗濯槽に溜まった水位を検知するための水位検知手段と、前記水位検知手段で検知される水位の時間的水位を記憶するための水位時間的推移記憶手段と、前記水位時間的推移記憶手段に記憶された内容から洗濯槽内の衣類の吸水性を元に念入り運転の必要度を判定するための念入り運転必要度判定手段とを備え、前記念入り運転必要度判定手段は、水位変化の傾きを算出する水位変化傾き算出手段と、前記水位変化傾き算出手段が算出した傾きが前回算出した傾きと成す角度が第１の閾値以上異なりその傾き変化が第２の閾値の時間以上継続した時に水位変化傾きの折れを検知する水位変化傾き折れ検知手段と、折れ点前後傾き割合算出手段とを有し、前記水位変化傾き折れ検知手段で前記折れを検知し、前記折れ点前後の傾きが共に＋の場合には、前記折れ点前後傾き割合算出手段で算出した前記折れ点より前の傾きに対する前記折れ点より後の傾きの割合が第３の閾値以上の時、念入り運転の必要度が高いと判定する洗濯機。
【請求項２】
給水手段と、洗濯槽に溜まった水位を検知するための水位検知手段と、前記水位検知手段で検知される水位の時間的水位を記憶するための水位時間的推移記憶手段と、前記水位時間的推移記憶手段に記憶された内容から洗濯槽内の衣類の吸水性を判定するための念入り運転必要度判定手段とを備え、前記念入り運転必要度判定手段は、水位変化の傾きを算出する水位変化傾き算出手段と、前記水位変化傾き算出手段が算出した傾きが前回算出した傾きと成す角度が第１の閾値以上異なりその傾き変化が第２の閾値の時間以上継続した時に水位変化傾きの折れを検知する水位変化傾き折れ検知手段と、折れ点前後傾き割合算出手段とをを有し、前記水位変化傾き折れ検知手段で前記折れを検知し、前記折れ点前後の傾きが共に−の場合には、前記折れ点前後傾き割合算出手段で算出した前記折れ点より前の傾きに対する前記折れ点より後の傾きの割合が第４の閾値より小さい時、念入り運転の必要度が高いと判定する洗濯機。
【請求項３】
前記念入り運転必要度判定手段は、前記水位変化傾き折れ検知手段で折れを検知し、前記折れ点より前の傾きの継続時間が第５の閾値以上の時、前記第３の閾値は元の値より小さい値に、前記第４の閾値は元の値より大きい値に、シフトして判定する請求項１または請求項２記載の洗濯機。
【請求項４】
予め決められた自動運転の内容について洗濯または乾燥の時間や回数について使用者が手動で変更するための設定変更手段と、前記念入り運転必要度判定手段が、洗濯槽内の衣類を念入り運転の必要度が高いと判定した場合について前記設定変更手段により設定変更が行われた内容を記憶するための設定変更記憶手段を備え、前記念入り運転必要度判定手段は、前記設定変更記憶手段に記憶された内容が第６の閾値の運転回数以上、洗濯を軽く行うよう変更された場合には、次回運転以降に前記第３の閾値は元の値より大きい値に、前記第４の閾値は元の値より小さい値に、シフトして判定する請求項１〜３のいずれか１項に記載の洗濯機。
【請求項５】
前記念入り運転必要度判定手段は、前記設定変更記憶手段に記憶された内容が第６の閾値より多い第７の閾値の運転回数以上、洗濯を念入りに行うよう変更された場合には、次回運転以降に前記第３の閾値は元の値より小さい値に、前記第４の閾値は元の値より大きい値に、シフトして判定する請求項４記載の洗濯機。
【請求項６】
コンピュータに請求項１〜５のいずれか１項に記載の洗濯機の少なくとも一部を実行させるためのプログラム。
【発明の詳細な説明】
【技術分野】
【０００１】
本発明は、洗濯槽内に投入された衣類の吸水性を元に、洗濯または乾燥の念入り運転の必要度を判定する洗濯機または洗濯乾燥機およびそのプログラムに関するものである。
【背景技術】
【０００２】
従来、洗濯槽内に投入された衣類の吸水性を元に布質を検知するものに、水位検出手段と洗濯槽内に投入される水の流量検出手段を備え、予め決められた２つの水位の水位差の前記２つの水位での水量の差（流量差）に対する割合を、予め吸水量の多少によって測定していた前記割合と比較をすることによって布質を判定するものがあった（例えば、特許文献１参照）。
【０００３】
また、通常の注水ではドラム側面最下部までしか水を張らないため、水量が少なく衣類が水に十分浸かることができずに判定精度が落ちるので、水を循環させて十分衣類を水に浸けて、洗濯槽内に注水された総水量から最終的な水位に対応する水量を引くことで吸水量を算出し、予め測定されたデータとの照合で、布質を判定するものがあった（例えば、特許文献２参照）。
【０００４】
さらに、上昇する水位と給水時間の関係に基づいて洗濯物量及び布質の少なくとも一方を判定し、洗濯槽の底面近傍の第１の水位（Ｈ１）、及びその水位までの第１の給水時間（Ｔ１）、並びに洗濯槽内の洗濯物が洗浄水に浸かることができるような第２の所定水位（Ｈ２）、及びその水位までの第２の給水時間（Ｔ２）を用いて、Ｔ１／Ｔ２＞基準値又はＴ２≦基準値又はＴ１≧基準値の時は洗濯物の量が多いと判定し、Ｔ１＞基準値の時は洗濯物の吸水性が良いと判定するものであった（例えば、特許文献３参照）。
【先行技術文献】
【特許文献】
【０００５】
【特許文献１】特開昭６１−１３７５９８号公報
【特許文献２】特開平８−２２４３９５号公報
【特許文献３】特開平９−１２２３７９号公報
【発明の概要】
【発明が解決しようとする課題】
【０００６】
しかしながら、従来の特許文献１や特許文献２の布質判定では、精度良く判定できるものの、流量検出手段が必要であったり、洗濯物を十分水に浸すための循環手段が必要であった。
【０００７】
また、従来の特許文献２の布質判定は、簡単な構成で判定を行うものの、給水時の水の流量が考慮されておらず、水栓の開度が少ない場合にもＴ１＞基準値となり洗濯物の吸水性が良いと判定してしまうという課題があった。
【０００８】
本発明は、前記従来の課題を解決するもので、簡単な構成で、しかも洗濯物の吸水性の判定を元に念入り運転の必要度が高いかどうかを判定して洗濯物の布質や量に適した洗濯や乾燥を行うことを目的とする。
【課題を解決するための手段】
【０００９】
前記従来の課題を解決するために、本発明の洗濯機または洗濯乾燥機は、給水手段と、洗濯槽に溜まった水位を検知するための水位検知手段と、前記水位検知手段で検知される水位の時間的水位を記憶するための水位時間的推移記憶手段と、前記水位時間的推移記憶手段に記憶された内容から洗濯槽内の衣類の吸水性を元に念入り運転の必要度を判定するための念入り運転必要度判定手段とを備え、前記念入り運転必要度判定手段は、水位変化の傾きを算出する水位変化傾き算出手段と、前記水位変化傾き算出手段が算出した傾きが前回算出した傾きと成す角度が第１の閾値以上異なりその傾き変化が第２の閾値の時間以上継続した時に水位変化傾きの折れを検知する水位変化傾き折れ検知手段と、折れ点前後傾き割合算出手段とを有し、前記水位変化傾き折れ検知手段で前記折れを検知し、前記折れ点前後の傾きが共に＋の場合には、前記折れ点前後傾き割合算出手段で算出した前記折れ点より前の傾きに対する前記折れ点より後の傾きの割合が第３の閾値以上の時、念入り運転の必要度が高いと判定するようにしたものである。
【００１０】
これによって、洗濯物を水没できる縦型の洗濯機や洗濯乾燥機のような場合に、簡単な構成で、しかも給水時の水の流量を考慮して、洗濯物の吸水性の判定を元に念入り運転の必要度が高いかどうかを判定して洗濯物の布質や量に適した洗濯や乾燥を行うことができる。
【００１１】
また、本発明の洗濯機または洗濯乾燥機は、給水手段と、洗濯槽に溜まった水位を検知するための水位検知手段と、前記水位検知手段で検知される水位の時間的水位を記憶するための水位時間的推移記憶手段と、前記水位時間的推移記憶手段に記憶された内容から洗濯槽内の衣類の吸水性を判定するための念入り運転必要度判定手段とを備え、前記念入り運転必要度判定手段は、水位変化の傾きを算出する水位変化傾き算出手段と、前記水位変化傾き算出手段が算出した傾きが前回算出した傾きと成す角度が第１の閾値以上異なりその傾き変化が第２の閾値の時間以上継続した時に水位変化傾きの折れを検知する水位変化傾き折れ検知手段と、折れ点前後傾き割合算出手段とを有し、前記水位変化傾き折れ検知手段で前記折れを検知し、前記折れ点前後の傾きが共に−の場合には、前記折れ点前後傾き割合算出手段で算出した前記折れ点より前の傾きに対する前記折れ点より後の傾きの割合が第４の閾値より小さい時、念入り運転の必要度が高いと判定するようにしたものである。
【００１２】
これによって、洗濯槽内の洗濯物が十分には水没できない所定水位にまで給水し、攪拌によって浸水させるため攪拌により水位が低下するドラム式洗濯機や洗濯乾燥機のような場合に、簡単な構成で、しかも給水時の水の流量を考慮して、洗濯物の吸水性の判定を元に念入り運転の必要度が高いかどうかを判定して洗濯物の布質や量に適した洗濯や乾燥を行うことができる。
【発明の効果】
【００１３】
本発明の洗濯機または洗濯乾燥機は、簡単な構成で、しかも給水時の水の流量を考慮して、洗濯物の吸水性の判定を元に念入り運転の必要度が高いかどうかを判定して洗濯物の布質や量に適した洗濯や乾燥を行うことができる。
【図面の簡単な説明】
【００１４】
【図１】本発明の実施の形態１における洗濯乾燥機の構成を示すブロック図
【図２】同洗濯乾燥機の動作の流れを示すフローチャート
【図３】洗濯物を水没できる洗濯機や洗濯乾燥機での布量が同じで吸水性が異なる場合の水位変化を示す図
【図４】洗濯物を水没できる洗濯機や洗濯乾燥機での吸水性が同じで布量が異なる場合の水位変化を示す図
【図５】最初に比較的少ない水量を給水しその後に洗濯物の吸水が進行する洗濯機や洗濯乾燥機での布量が同じで吸水性が異なる場合の水位変化を示す図
【図６】同洗濯乾燥機の念入り運転必要度判定手段の判断閾値変更の動作の流れを示すフローチャート
【発明を実施するための形態】
【００１５】
第１の発明は、洗濯槽に溜まった水位を検知するための水位検知手段と、前記水位検知手段で検知される水位の時間的水位を記憶するための水位時間的推移記憶手段と、前記水位時間的推移記憶手段に記憶された内容から洗濯槽内の衣類の吸水性を元に念入り運転の必要度を判定するための念入り運転必要度判定手段とを備え、前記念入り運転必要度判定手段は、水位変化の傾きを算出する水位変化傾き算出手段と、前記水位変化傾き算出手段が算出した傾きが前回算出した傾きと成す角度が第１の閾値以上異なりその傾き変化が第２の閾値の時間以上継続した時に水位変化傾きの折れを検知する水位変化傾き折れ検知手段と、折れ点前後傾き割合算出手段とを有し、前記水位変化傾き折れ検知手段で前記折れを検知し、前記折れ点前後の傾きが共に＋の場合には、前記折れ点前後傾き割合算出手段で算出した前記折れ点より前の傾きに対する前記折れ点より後の傾きの割合が第３の閾値以上の時、念入り運転の必要度が高いと判定するようにしたことにより、洗濯物を水没できる縦型の洗濯機や洗濯乾燥機のような場合に、簡単な構成で、しかも給水時の水の流量を考慮して、洗濯物の吸水性の判定を元に念入り運転の必要度が高いかどうかを判定して洗濯物の布質や量に適した洗濯や乾燥を行うことができる。
【００１６】
第２の発明は、給水手段と、洗濯槽に溜まった水位を検知するための水位検知手段と、前記水位検知手段で検知される水位の時間的水位を記憶するための水位時間的推移記憶手段と、前記水位時間的推移記憶手段に記憶された内容から洗濯槽内の衣類の吸水性を判定するための念入り運転必要度判定手段とを備え、前記念入り運転必要度判定手段は、水位変化の傾きを算出する水位変化傾き算出手段と、前記水位変化傾き算出手段が算出した傾きが前回算出した傾きと成す角度が第１の閾値以上異なりその傾き変化が第２の閾値の時間以上継続した時に水位変化傾きの折れを検知する水位変化傾き折れ検知手段と、折れ点前後傾き割合算出手段とをを有し、前記水位変化傾き折れ検知手段で前記折れを検知し、前記折れ点前後の傾きが共に−の場合には、、前記折れ点前後傾き割合算出手段で算出した前記折れ点より前の傾きに対する前記折れ点より後の傾きの割合が第４の閾値より小さい時、念入り運転の必要度が高いと判定することにより、洗濯槽内の洗濯物が十分には水没できない所定水位にまで給水し、攪拌によって浸水させるため攪拌により水位が低下するドラム式洗濯機や洗濯乾燥機のような場合に、簡単な構成で、しかも給水時の水の流量を考慮して、洗濯物の吸水性の判定を元に念入り運転の必要度が高いかどうかを判定して洗濯物の布質や量に適した洗濯や乾燥を行うことができる。
【００１７】
第３の発明は、特に、第１または第２の発明の念入り運転必要度判定手段は、前記水位変化傾き折れ検知手段で折れを検知し、前記折れ点より前の傾きの継続時間が第５の閾値以上の時、前記第３の閾値は元の値より小さい値に、前記第４の閾値は元の値より大きい値に、シフトして判定するようにしたことにより、布量の多い時には、本来の判定では念入り運転の必要度が低い場合も念入り運転の必要度を高めに判定し、念入り運転の必要度が高いかどうかを判定して洗濯物の布質や量に適した洗濯や乾燥を行うことができる。
【００１８】
第４の発明は、特に、第１〜第３のいずれか１つの発明の洗濯機または洗濯乾燥機は、予め決められた自動運転の内容について洗濯または乾燥の時間や回数について使用者が手動で変更するための設定変更手段と、前記念入り運転必要度判定手段が、洗濯槽内の衣類を念入り運転の必要度が高いと判定した場合について前記設定変更手段により設定変更が行われた内容を記憶するための設定変更記憶手段を備え、前記念入り運転必要度判定手段は、前記設定変更記憶手段に記憶された内容が第６の閾値の運転回数以上、洗濯または乾燥を軽く行うよう変更された場合には、次回運転以降に前記第３の閾値は元の値より大きい値に、前記第４の閾値は元の値より小さい値に、シフトして判定することにより、使用者の操作によって、本来の判定では念入り運転の必要度が高い場合も念入り運転の必要度を低めに判定を補正し、洗濯物の布質や量に適した洗濯や乾燥を行うことができる。
【００１９】
第５の発明は、第４の念入り運転必要度判定手段は、前記設定変更記憶手段に記憶された内容が第６の閾値より多い第７の閾値の運転回数以上、洗濯または乾燥を念入りに行うよう変更された場合には、次回運転以降に前記第３の閾値は元の値より小さい値に、前記第４の閾値は元の値より大きい値に、シフトして判定することにより、使用者の操作によって、本来の判定では念入り運転の必要度が低い場合も、使用者操作が洗濯物の汚れ度にも影響を受けることを考慮して、念入り運転の必要度を高めに判定を補正し、洗濯物の布質や量に適した洗濯や乾燥を行うことができる。
【００２０】
第６の発明は、コンピュータに請求項１〜５のいずれか１項に記載の洗濯機または洗濯乾燥機の前記念入り運転必要度判定手段や前記水位変化傾き算出手段や前記水位変化傾き折れ検知手段は、少なくとも一部を実行させるためのプログラムであることにより、電気・情報機器、コンピュータ、サーバー等のハードリソースを協働させて本発明の少なくとも一部を容易に実現することができる。また、記録媒体に記録したり通信回線を用いてプログラムを配信したりすることで、プログラムの配布・更新やそのインストール作業が簡単にできる。
【００２１】
以下、本発明の実施の形態について、図面を参照しながら説明する。なお、この実施の形態によって本発明が限定されるものではない。
【００２２】
（実施の形態１）
図１は、本発明の実施の形態１における洗濯乾燥機の構成を示すブロック図である。また、図２は、同洗濯乾燥機の動作の流れを示すフローチャート、図６は、同洗濯乾燥機の念入り運転必要度判定手段の判断閾値変更の動作の流れを示すフローチャートである。
【００２３】
さらに、図３は、洗濯物を水没できる洗濯機や洗濯乾燥機での布量が同じで吸水性が異なる場合の水位変化を示す図、図４は、洗濯物を水没できる洗濯機や洗濯乾燥機での吸水性が同じで布量が異なる場合の水位変化を示す図、図５は、最初に比較的少ない水量を給水しその後に攪拌等で洗濯物の吸水が進行する洗濯機や洗濯乾燥機での布量が同じで吸水性が異なる場合の水位変化を示す図である。
【００２４】
図１において、１０１は洗濯乾燥機で、制御手段１０７により制御される給水手段１０２、洗濯物を攪拌するための攪拌手段１０３、排水手段１０４、脱水手段１０５、乾燥手段１０６を備えている。また、給水手段によって給水される水位を検知するための水位検知手段１０８、水位検知手段１０８で検知される水位の時間的推移を記憶するための水位時間的推移記憶手段１０９と、さらに水位時間的推移記憶手段１０９に記憶された内容から投入された洗濯物について念入り運転の必要性を判定するための念入り運転必要度判定手段１１０を備えている。
【００２５】
念入り運転必要度判定手段１１０は、水位変化傾き算出手段１１１、水位変化傾き折れ検知手段１１２、水位変化傾き折れ検知手段１１２で検知した傾き折れ点の前後の傾き割合を算出するための折れ点前後傾き割合算出手段１１３、水位変化傾き折れ検知手段１１２で検知した傾き折れ点の前の継続時間を計時するための、折れ点前の傾き継続計時手段１１７、折れ点前後傾き割合算出手段１１３算出された割合を比較手段１１６で判定するための第３の閾値１１４と、第４の閾値１１５を備えている。
【００２６】
さらに、１１８は運転の内容を手動で変更するための設定変更手段（例えば、洗い時間を変更できるもの）、１１９は、設定変更手段１１８で設定変更された履歴を記憶するための設定変更記憶手段である。
【００２７】
また、洗濯物を水没できる洗濯機や洗濯乾燥機での布量が同じで吸水性が異なる場合の水位変化を示す図３において、Ｔ１は給水性の低い衣類の場合の水位変化、Ｔ２は標準的な衣類の場合の水位変化、Ｔ３は給水性の高い衣類の場合の水位変化を示している。各々衣類が吸水飽和する点であるＴ１ａ、Ｔ２ａ、Ｔ３ａまでは吸水が徐々に進行するため比較的緩い傾きであるが、飽和点を越えると吸水の流量に依存した水位変化を見せるようになる。ここで、例えば、Ｔ３ａまではＴ３と同じ傾きを見せていたとしても吸水性は低くとも給水流量が低いものは、Ｔ４のようにＴ３ａ後も緩い傾きとなる。
【００２８】
また、洗濯物を水没できる洗濯機や洗濯乾燥機での吸水性が同じで布量が異なる場合の水位変化を示す図４において、Ｗ１は布量が少ない場合の水位変化、Ｗ２は標準的な布量の場合の水位変化、Ｗ３は布量が多い場合の水位変化を示している。各々衣類が吸水飽和する点であるＷ１ａ、Ｗ２ａ、Ｗ３ａまでは吸水が徐々に進行するため比較的緩い傾きであるが、飽和点を越えると布量の多いものは洗濯槽内がわずかなため水位の立ち上がりは速くなる。
【００２９】
さらに、最初に比較的少ない水量を給水しその後に攪拌等で洗濯物の吸水が進行する洗濯機や洗濯乾燥機での布量が同じで吸水性が異なる場合の水位変化を示す図５では、給水直後の水位から衣類の吸水の進行と共に水位が下がってくる。ＴＤ１は給水性の低い衣類の場合の水位変化、ＴＤ２は標準的な衣類の場合の水位変化、ＴＤ３は給水性の高い衣類の場合の水位変化を示している。各々衣類が吸水飽和する点であるＴＤ１ａ、ＴＤ２ａ、ＴＤ３ａまでは吸水が徐々に進行するため比較的緩い傾きであるが、その後いずれも同じ水位に最終的には収束していく。尚、ここでは、攪拌の起動時や反転時の水位変化はノイズとして削除している。
【００３０】
以上のように構成された洗濯乾燥機について、以下その動作、作用を説明する。まず、使用者は、洗濯乾燥機１０１の図示されていないスイッチにより所望の運転コース内容を選択し、運転を開始する（ステップ１）。制御手段１０７は、給水手段１０２により洗濯槽への給水を開始し、水位を定期的に計測する（ステップ２、ステップ３）。
【００３１】
念入り運転必要度判定手段１１０は、まず、水位計測の開始時には所定時間（本実施の形態では５秒間）は、その間の水位変化量と経過時間から水位変化傾き算出手段１１１で傾きを算出し、傾きの確定値の初期値とする。傾き確定値の初期値決定以降は、水位変化傾き算出手段１１１で算出した今回の水位変化の傾きと傾き確定値との傾きの角度差を算出して、その角度が第１の閾値（本実施の形態では１０°）以上の時には、角度差１０°以上の傾きが第２の閾値（本実施の形態では１０秒）以上継続している場合は、水位変化傾き折れ検知手段１１２で傾きの折れを検知する（ステップ４〜６）。角度差が１０°未満の場合や、１０秒未満の継続の場合は平均値などで傾き確定値を更新する（ステップまたはステップ８）。
【００３２】
傾きの折れを検知すると、折れ点前後傾き割合算出手段１１３は、折れ点前後の傾きから、目安値として折れ点前の傾きに対する折れ点後の傾きを算出する（ステップ９）。念入り運転必要度判定手段１１０は、次に折れ点前後の傾きが共に＋である場合には、比較の閾値として第３の閾値１１４（本実施の形態では１．５）を採用し、目安値が１．５以上であれば、念入り運転の必要度が高いと判定する（ステップ１０、ステップ１１、ステップ１４）。念入り運転必要度判定手段１１０は、折れ点前後の傾きが共に−である場合には、比較の閾値として第４の閾値１１５（本実施の形態では０．５）を採用し、目安値が０．５未満であれば、念入り運転の必要度が高いと判定する（ステップ１０、ステップ１２、ステップ１３、ステップ１４）。
【００３３】
その後、制御手段１０７は、念入り運転必要度判定手段１１０の判定内容を元に、給水手段１０２での給水水位や給水回数、攪拌手段１０３での攪拌強度、攪拌回数、攪拌反転回数、脱水手段１０５での脱水時間や途中の脱水回数、乾燥手段１０６での乾燥時間などを適切に制御する。
【００３４】
また、図２のフローチャートでは示していないが、折れ点前の傾き継続計時手段１１７で計時している折れ点前の傾き継続時間が第５の閾値（本実施の形態では、１分）以上の時は、折れ点前後の傾きが共に＋である場合には、第３の閾値１１４の値を１．５から１．３にしてステップ１１での判断を行い、折れ点前後の傾きが共に−である場合には、第４の閾値１１５の値を０．５から０．７にしてステップ１３での判断を行う。
【００３５】
このように、水位変化の傾きの折れ点を検知して、折れ点前の傾きに対する折れ点後の傾きを目安値として用いることにより、給水の流量は多いか少ないかは前後共に同様の影響があるが運転中はほぼ一定であるとみなせるため、流量の影響を無視ずることができ、また図３〜図５で示した吸水性の高い衣類（タオル等）や布量が多い場合など、汚れの落ちにくい、乾燥しにくい場合を検知して念入り運転の必要度が高いと判定することができ、洗濯物の布質や量に適した洗濯や乾燥を行うことができる。
【００３６】
また、図６のフローチャートに示すように、念入り運転必要度判定手段１１０が念入り運転の必要性が高いと判定した運転について、運転開始時または運転途中に、使用者が設定変更手段１１８で例えば洗い時間をコースとして設定される洗い時間より短め（軽め側）に設定し、設定変更記憶手段１１９に記憶された履歴から、念入り運転必要度判定手段１１０が念入り運転の必要性が高いと判定しかつ軽め側への変更が第６の閾値（本実施の形態では２回）以上連続した場合は、第３の閾値１１４の値を１．５を１．７に第４の閾値１１５の値を０．５から０．３へ変更し、、即ち判定がより軽めになるように判断の閾値を調整して、念入り運転必要度判定手段１１０の次回以降の判定へ反映する（ステップ１５〜１７、ステップ１８〜２０）。
【００３７】
また、念入り運転必要度判定手段１１０が念入り運転の必要性が高いと判定した運転について、運転開始時または運転途中に、使用者が設定変更手段１１８で例えば洗い時間をコースとして設定される洗い時間より長め（念入り側）に設定し、設定変更記憶手段１１９に記憶された履歴から、念入り運転必要度判定手段１１０が念入り運転の必要性が高いと判定しかつ念入り側への変更が第６の閾値（本実施の形態では２回）より多い第７の閾値（本実施の形態では５回）以上連続した場合は、第３の閾値１１４の値を１．５を１．３に第４の閾値１１５の値を０．５から０．７へ変更し、即ち判定がより念入り側になるように判断の閾値を調整して、念入り運転必要度判定手段１１０の次回以降の判定へ反映する（ステップ１５〜１７、ステップ２１、ステップ２２）。
【００３８】
以上のように、念入り運転必要度判定手段１１０の判定の精度を、使用者の設定変更を活用することで向上させて、念入り運転の必要度が高いかどうかを判定して洗濯物の布質や量に適した洗濯や乾燥を行うことができる。
【００３９】
また、念入り運転する要因として汚れ要因があるため、できるだけ汚れ要因で念入り運転した場合を除くために、第７の閾値を第６の閾値より多くすることで、閾値調整の精度を向上することができる。
【００４０】
なお、本実施の形態で説明した洗濯機または洗濯乾燥機の念入り運転必要度判定手段１１０、水位変化傾き算出手段１１１、水位変化傾き折れ検知手段１１２、折れ点前後傾き割合算出手段１１３、比較手段１１６、制御手段１０７は、ＣＰＵ（またはマイコン）、ＲＡＭ、ＲＯＭ、記憶・記録洗濯機、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００４１】
以上のように、本発明にかかる洗濯機または洗濯乾燥機およびそのプログラムは、簡単な構成で、しかも給水時の水の流量を考慮して、洗濯物の吸水性の判定を元に念入り運転の必要度が高いかどうかを判定して洗濯物の布質や量に適した洗濯や乾燥を行うことができるので、縦型式洗濯機だけでなくドラム式洗濯機にも適用できるほか、家庭用だけでなく業務用の洗濯機または洗濯システムとしても有用である。
【符号の説明】
【００４２】
１０１  洗濯乾燥機
１０２  給水手段
１０８  水位検知手段
１０９  水位時間的推移記憶手段
１１０  念入り運転必要度判定手段
１１１  水位変化傾き算出手段
１１２  水位変化傾き折れ検知手段
１１３  折れ点前後傾き割合算出手段
１１４  第３の閾値
１１５  第４の閾値
１１７  折れ点前の傾き継続計時手段
１１８  設定変更手段
１１９  設定変更記憶手段
【図１】
2011206143.tif 000003
【図２】
2011206143.tif 000004
【図３】
2011206143.tif 000005
【図４】
2011206143.tif 000006
【図５】
2011206143.tif 000007
【図６】
2011206143.tif 000008